(57)【要約】【課題】少なくとも長手方向端面に傾斜面を有する被包装体を十分な耐落下衝撃性をもって包装し得る包装箱の提供。【解決手段】少なくとも長手方向端面に傾斜面２を有する被包装体１を包装する包装箱であって、前記被包装体の傾斜面に沿う傾斜面２１を有することを特徴とする包装箱２０。【選択図】　図２
2004017975.tif 000002
【特許請求の範囲】
【請求項１】
少なくとも長手方向端面に傾斜面を有する被包装体を包装する包装箱であって、
前記被包装体の傾斜面に沿う傾斜面を有することを特徴とする包装箱。
【請求項２】
前記被包装体の上面に被せるトレーをさらに含む請求項１記載の包装箱。
【請求項３】
前記傾斜面と接する位置に、包装箱の長手方向端面が垂直面である場合の仮想垂直面に向けて拡張した延出部が設けられた請求項１または２記載の包装箱。
【請求項４】
前記傾斜面が、前記被包装体に接する内側フラップと、該内側フラップ外面を覆う外側フラップとを含む請求項１〜３のいずれかに記載の包装箱。
【請求項５】
前記被包装体の上面に相当する面に、起立時に取手となる切れ込みを設けた請求項１〜４のいずれかに記載の包装箱。
【発明の詳細な説明】
【０００１】
【発明の属する技術分野】
本発明は、少なくとも長手方向側面に傾斜面を有する被包装体を包装する包装箱に関し、特に耐落下衝撃性を改善した包装箱に関する。
【０００２】
【従来の技術】
従来より、例えば静電荷像現像用のトナー、カメラ（いわゆる使い捨てカメラ）のような各種光学機器や各種電子機器、玩具等の工業製品類、菓子類、豆腐、乳製品、納豆、冷凍食品等の各種食品類のような種々の物品を入れ、上部開口を合成樹脂フィルムで密封シールする形態の合成樹脂製容器が用いられている。
図６は該合成樹脂製容器の一例を示す図である。この容器は、ポリエチレンテレフタレート（ＰＥＴ）などの合成樹脂からなり、上方が開口し、少なくとも長手方向両端面が上方に向けて漸次広がる傾斜面２とされ、かつ上部開口縁部が外方に向けて延出したフランジ４を有する容器本体３と、該容器本体３の上部開口を覆い、該フランジ４上面に例えば融着や接着によって接合され、容器本体３の上部開口を密封シールする合成樹脂フィルムからなる蓋部５とからなっている。
【０００３】
この容器は、容器本体３に上述したような種々の物品を入れ、上部開口を蓋部５によって密封シールした状態で製品とされる場合もあるが、容器の中身及び容器１自体の破損を防ぐ目的で容器を包装箱に入れて包装する場合もある。従来、この種の包装箱としては種々の構造のものが知られており、容器の重量に応じて適当な強度及び緩衝機能（耐落下衝撃性）のものが提供されている。
図７は、図６に示す容器のような被包装体（以下、被包装体１と記す）を包装するために用いられる包装箱の一例を示す図であり、この包装箱１０は、段ボールなどの包装紙材からなり、長手方向両側が開口した角筒体になっている（以下、直方体の筒状包装箱という）。この直方体の筒状包装箱１０は、軽量の被包装体を簡易包装するために用いられる。
また図８は、被包装体を包装するために用いられる包装箱の別な例を示す図であり、この包装箱１１は、段ボールなどの包装紙材からなり、被包装体の全面を覆う直方体になっている（以下、直方体の包装箱という）。この直方体の包装箱１１は、比較的重量のある被包装体を包装するために用いられる。
なおこれらの包装箱１０，１１は、より大型の外装箱に複数個詰め込んで出荷される場合があり、そのような形態で出荷される包装箱は個装箱という名称で呼ばれることもある。
【０００４】
【発明が解決しようとする課題】
しかしながら、上述した従来の包装箱１０，１１は、重量のある被包装体を包装した際、十分な耐落下衝撃性を得ることが困難であり、包装箱あるいは複数の包装箱を梱包した外装箱を誤って落下した際に被包装体が破損し、内容物が漏れ出す可能性があった。
図７の直方体の筒状包装箱１０は、長手方向両側が開口しており、被包装体の角部や稜に対する耐落下衝撃性が十分に得られず、重量のある被包装体を包装した場合、落下によって被包装体が破損し易い欠点がある。このような不都合は、包装箱１０そのものを単独で落下させた場合でも、複数個を梱包した外装箱を落下させた場合でも同様に発生する。
【０００５】
また図８の直方体の包装箱１１は、開口のない箱内に被包装体１を収容した構造であり、上述した直方体の筒状包装箱１０よりは優れた耐落下衝撃性が得られる。しかしながら、この直方体の包装箱１１は、上記被包装体１のように少なくとも長手方向端面に傾斜面を有し、且つ容器本体３の上部開口縁部にフランジ４が設けられた構造の容器を包装した場合、長手方向の面落下に対して十分な耐落下衝撃性が得られない可能性があった。すなわち、被包装体を入れた包装箱１１、又はそれらを複数個詰め込んだ外装箱を長手方向の一方の面を下に向けた状態で面落下させると、包装箱１１の長手方向両側と被包装体の傾斜面とが離れているため包装箱による緩衝作用が得られず、落下衝撃によって被包装体のフランジ４が破損したり、蓋部５の密封シールが破られて内容物が漏れ出す可能性があった。
【０００６】
本発明は前記事情に鑑みてなされたもので、少なくとも長手方向端面に傾斜面を有する被包装体を十分な耐落下衝撃性をもって包装し得る包装箱の提供を目的とする。
【０００７】
【課題を解決するための手段】
本発明は、少なくとも長手方向端面に傾斜面を有する被包装体を包装する包装箱であって、前記被包装体の傾斜面に沿う傾斜面を有することを特徴とする包装箱を提供する。
本発明の包装箱において、前記被包装体の上面に被せるトレーをさらに含む構成としてよい。
また、前記傾斜面と接する位置に、包装箱の長手方向端面が垂直面である場合の仮想垂直面に向けて拡張した延出部が設けられた構成としてよい。
さらに、前記傾斜面が、前記被包装体に接する内側フラップと、該内側フラップ外面を覆う外側フラップとを含む構成としてよい。
また、前記被包装体の上面に相当する面に、起立時に取手となる切れ込みを設けた構成としてよい。
【０００８】
【発明の実施の形態】
以下、図面を参照して本発明の実施形態を説明する。
図１〜３は本発明の包装箱の一実施形態である包装箱２０を示す図であり、図１は包装箱２０の斜視図、図２は包装箱２０の縦断面図、図３は底面を上向きにした包装箱２０の斜視図である。この包装箱２０は、少なくとも長手方向両端面に、上方に向け漸次広がる傾斜面２を有する図６に示すような被包装体１を個別に包装するように構成されている。
【０００９】
この包装箱２０は、長手方向両端面に、被包装体１の傾斜面２に沿うように、上方に向けて広がる傾斜面２１が設けられている。包装箱２０の傾斜面２１は、少なくとも一部が被包装体１の傾斜面２に接触した状態とされ、好ましくは図２に示すように被包装体１の傾斜面２にぴったり接触した状態で設けられる。なお、本例示では被包装体１の長手方向両端面の傾斜面２に沿うように、包装箱２０の長手方向両端面に傾斜面２１を設けたが、被包装体１の幅方向端面に沿うように、包装箱２０の幅方向両端面にも傾斜面を設けることもできる。
【００１０】
この包装箱２０において、傾斜面２１は、被包装体１に接する内側フラップ２３と、該内側フラップ２３外面を覆う外側フラップ２４との二重構造になっている。このように傾斜面２１を内側フラップ２３と外側フラップ２４とからなる二重構造としたことで、傾斜面２１の強度を高めるとともに、衝撃に対する緩衝機能を向上させることができる。
外側フラップ２４の先端部には、包装箱２０の底面縁部に形成されたスリット２５に挿入される閉止フラップ２６（図５参照）が設けられている。
なお、傾斜面２１は本例示に限定されることなく、内側フラップ２３と外側フラップ２４のいずれか１枚として構成してもよい。
【００１１】
傾斜面２１の両サイドには、包装箱２０の長手方向端面が垂直面である場合の仮想垂直面に向けて拡張した三角鰭状の延出部２２が設けられている。包装箱２０が長手方向端面を下向きに落下した場合、これらの延出部２２が地面に当たり、傾斜面２１が地面に直接当たらないようにすることで、傾斜面２１を保護するようになっている。
【００１２】
また包装箱２０の上面には、起立させた時に取手２７となる長手方向に並ぶ２つの切れ込みが設けられている。この取手２７は、包装箱２０を持ち運ぶ際に便利であるとともに、複数の包装箱２０が大型の外装箱に隙間無く詰められている包装形態において、外装箱から包装箱２０を取り出す際に、この取手２７があれば取り出し易くなる。この取手２７の形状、配置位置及び配置方向、形成個数は本例示に限定されず、適宜変更可能である。
【００１３】
図４は、被包装体１の上面を覆った状態で包装箱２０に収納されるトレー２８を示す図である。このトレー２８は段ボールのような包装紙材で作製され、被包装体１の上面側のフランジ４を覆う本体の幅方向両側が折曲、延長された構造になっている。このトレー２８は、被包装体１の上面に被せて包装箱２０内に収納することで、被包装体１のフランジ４およびフランジ４に設けられた密封シール部を保護し、その結果包装箱２０の耐落下衝撃性を向上させることができる。
図５は、包装箱２０の展開図を示す。本図に示す通り、この包装箱２０は１枚の段ボールから切り抜いて作製される。包装箱２０を作製する段ボールのハニカムの向きは、好ましくは該箱の長手方向に平行とされる。このように段ボールのハニカムの向きを該箱の長手方向に平行とすることで、包装箱２０の強度を高めることができる。
【００１４】
上述した包装箱２０は、少なくとも長手方向端面に傾斜面２を有する被包装体１を包装するために、被包装体１の傾斜面２に沿う傾斜面２１を有する構造としたことで、後述する実施例において実証される通り、図７及び図８に示す従来の包装箱１０，１１よりも格段に優れた耐落下衝撃性を得ることができる。
【００１５】
【実施例】
肉厚０．５〜１．５ｍｍのポリエチレンテレフタレート製容器に、３ｋｇのトナーを充填し、ポリエチレンテレフタレート製フィルムで上部開口を密封シールした図６に示す形状の被包装体１を、以下の比較例１、比較例２、実施例１及び実施例２の包装箱を用いてそれぞれ包装し、それぞれの包装箱４箱を外装箱に梱包した状態で落下試験を行って各包装箱の耐落下衝撃性能を比較した。
【００１６】
（比較例１）
３ｍｍ厚のシングルハニカム構造のダンボールを用い、図７に示すように、長手方向両端面が開口した直方体の筒状包装箱を作製し、該包装箱で上記被包装体を包装した。この包装箱を外装箱内に４箱梱包（下段に２箱、上段に２箱（下段の２箱の直上に平行に配置）し、この外装箱を落下させて、包装箱からの内容物の漏れの有無を確認した。
【００１７】
（比較例２）
３ｍｍ厚のシングルハニカム構造のダンボールを用い、図８に示すように、長手方向両端面が開口した直方体の筒状包装箱を作製し、該包装箱で上記被包装体を包装した。この包装箱を外装箱内に４箱梱包（下段に２箱、上段に２箱（下段の２箱の直上に平行に配置）し、この外装箱を落下させて、包装箱からの内容物の漏れの有無を確認した。
【００１８】
（実施例１）
３ｍｍ厚のシングルハニカム構造のダンボールを用い、図１〜図３に示す通り長手方向両端面に、内側フラップ２３と外側フラップ２４との二重の傾斜面２１を有し、かつこれらの傾斜面の両サイドを仮想垂直面に沿って延長させた三角鰭状の延出部２２を有する構造の包装箱２０を作製した。段ボールのハニカムの向きは箱の長手方向に平行とした。この包装箱で上記被包装体を包装した。ただし、この実施例１において、図４に示すトレー２８は用いない。この包装箱を外装箱内に４箱梱包（下段に２箱（延出部２２を有する面同士が接するように並列に配置）、上段に２箱を配置（下段の２箱の直上に平行に配置））し、この外装箱を落下させて、包装箱からの内容物の漏れの有無を確認した。
【００１９】
（実施例２）
上記実施例１と同じ包装箱２０と、図４に示すトレー２８を用い、被包装体１の上面にトレー２８を被せて包装箱２０に収納した。この包装箱を外装箱内に４箱梱包（下段に２箱（延出部２２を有する面同士が接するように並列に配置）、上段に２箱を配置（下段の２箱の直上に平行に配置））し、この外装箱を落下させて、包装箱からの内容物の漏れの有無を確認した。
【００２０】
これらの実施例１，２と比較例１，２のそれぞれの包装箱を梱包した外装箱について落下試験を実施し、内容物の漏れの有無を判定基準として耐落下衝撃性を比較した。落下試験は、ＪＩＳ　Ｚ　０２００，０２０１及び０２０２に規定された落下試験に準拠し、各外装箱について一角、一稜、六面の落下を行い、各部の落下毎に内容物の漏れの有無を目視にて調べた。落下物の漏れが生じた外装箱は、その時点で試験を中止した。この試験結果を表１にまとめて記す。
【００２１】
【表１】
2004017975.tif 000003
【００２２】
表１の結果から判るように、本発明に係る実施例１、２の包装箱は、従来の包装箱（比較例１，２）よりも優れた耐落下衝撃性能を示した。
比較例１の包装箱は、長手方向両端面が開口しているので包装箱による保護（緩衝）効果が殆ど得られず、角落下によって密封シール部が破れて内容物の漏れを生じた。
【００２３】
比較例２の包装箱は直方体の箱内に被包装体１が収容される構造であるが、包装箱の長手方向両端面は垂直面になっているため、この端面と、被包装体１の傾斜面２との間に隙間があって、被包装体１の傾斜面が保護されていない。その結果、十分な耐落下衝撃性が得られず、第一面（最小面）である長手方向端面の落下で密封シール部が破れて内容物が漏れ出した。
【００２４】
一方、実施例１の包装箱２０は、長手方向両端面に、内側フラップ２３と外側フラップ２４との二重の傾斜面２１を有し、かつこれらの傾斜面の両サイドを仮想垂直面に沿って延長させた三角鰭状の延出部２２を有する構造とした結果、第一面及びその対面である第二面（長手方向両端面）の落下に耐えることができた。しかしながら第三面（包装箱の幅方向端面）の落下により密封シール部が破れて内容物が漏れ出した。
さらにトレー２８を用いて被包装体１のフランジ４を保護した実施例２の包装箱は、角、稜及び第一〜六面の全ての落下に耐えることができた。
【００２５】
【発明の効果】
本発明によれば、少なくとも長手方向側面に傾斜面を有する被包装体を十分な耐落下衝撃性をもって包装し得る包装箱を提供することができる。
【図面の簡単な説明】
【図１】本発明の一実施形態を示す包装箱の斜視図である。
【図２】同じ包装箱の縦断面図である。
【図３】同じ包装箱の底面を上に向けた状態の斜視図である。
【図４】同じ包装箱内に収納されるトレーの斜視図である。
【図５】同じ包装箱の展開図である。
【図６】被包装体の一例を示す斜視図である。
【図７】従来の包装箱の一例を示す斜視図である。
【図８】従来の包装箱の別な例を示す斜視図である。
【符号の説明】
１　　被包装体
２　　傾斜面
２０　包装箱
２１　傾斜面
２２　延出部
２３　内側フラップ
２４　外側フラップ
２７　取手
２８　トレー
【図１】
2004017975.tif 000004
【図２】
2004017975.tif 000005
【図３】
2004017975.tif 000006
【図４】
2004017975.tif 000007
【図５】
2004017975.tif 000008
【図６】
2004017975.tif 000009
【図７】
2004017975.tif 000010
【図８】
2004017975.tif 000011